(57)【要約】【課題】様々な形状のレンズを保持することができ、かつ、作業性を向上することができる光学部品の保持具を提供する【解決手段】ホルダに形成された保持孔に取り付けられる枠体３１と、この枠体３１の内周側に配置される中子リング３２と、この中子リング３２に固定され、レンズ２の外周縁部が載置される網部３３とを備えて保持具３を構成する。網部３３は、中心部がレンズ２と離れる方向に向かって湾曲している構成を有する。保持具３は網部３３の上にレンズ２を載置する構成であるので、レンズ２の形状が枠体３１の内周面の形状と対応しない場合であってレンズ２を保持することができる。また、レンズ２が網部３３の上に載置された構成であるので、レンズ２の取付及び取出作業が容易である。【選択図】図３
2010189737.tif 000002
【特許請求の範囲】
【請求項１】
互いに対向する第１蒸着源と第２蒸着源との間に配置されて板状のホルダに蒸着対象物である光学部品を装着する光学部品の保持具であって、
前記ホルダに取り付けられる枠体と、
この枠体に設けられる中子リングと、
この中子リングに設けられた前記光学部品の外周縁部と当接する網部と、を備え、
この網部は、中心部が前記光学部品と離れる方向に向かって湾曲している
ことを特徴とする光学部品の保持具。
【請求項２】
請求項１に記載の光学部品の保持具において、
前記網部は、互いに交差する複数の網線を備え、
これらの網線は、前記中子リングの中心から離れる位置にある
ことを特徴とする光学部品の保持具。
【請求項３】
請求項２に記載の光学部品の保持具において、
前記網線は、前記中子リングに着脱自在に設けられた
ことを特徴とする光学部品の保持具。
【請求項４】
請求項３に記載の光学部品の保持具において、
前記網線の先端は、前記中子リングに挿通され、折れ曲った状態で前記枠体に挟持される
ことを特徴とする光学部品の保持具。
【請求項５】
請求項４に記載の光学部品の保持具において、
前記中子リングは、外周に前記網線の先端を位置決め可能な溝を有する
ことを特徴とする光学部品の保持具。
【請求項６】
請求項１から請求項５のいずれかに記載の光学部品の保持具において、
前記光学部品と前記中子リングとの間には、前記光学部品を位置決め可能なスペーサが配置された
ことを特徴とする光学部品の保持具。
【発明の詳細な説明】
【技術分野】
【０００１】
本発明は、メガネレンズなどの光学部品を保持する光学部品の保持具に関する。
【背景技術】
【０００２】
光学部品の保持具には、光学部品の表面に撥水膜や蒸着膜などを形成する際に用いられ、光学部品を保持するものがある（特許文献１、図６〜８）。
特許文献１の従来例で示される保持具は、多数の保持孔が形成された基板ホルダであり、この保持孔に光学レンズ基材が直接セットされる。
図６の従来例で示される保持具４は、リング状に形成され、保持具４の内周面から段受け部４１が突出するように設けられている。図７の従来例で示される保持具５も、リング状に形成され、保持具５の内周面からピン５１が突出するように設けられている。これら段受け部４１及びピン５１には、それぞれレンズ６が載置される。
図８の従来例で示される保持具７は、内周面に取り付けられた複数の板バネ部材８を介してレンズ６を装着している。板バネ部材８がレンズ６の側面を押圧することにより、レンズ６が固定されている。
【先行技術文献】
【特許文献】
【０００３】
【特許文献１】ＷＯ９８／５２０７５号公報
【発明の概要】
【発明が解決しようとする課題】
【０００４】
しかしながら、特許文献１の従来例で示されたホルダでは、レンズ基材が保持孔の内径よりも小さい場合、レンズ基材が落下してしまい、保持することができない場合がある。
また、図６及び図７で示された保持具４，５も同様に、レンズ６が保持具４，５の内径よりも小さい場合、保持することができない場合がある。
さらに、図８で示された保持具７では、レンズ６が板バネ部材で押圧されているため、レンズ６の取付け及び取り外しに手間がかかり、作業性が低下する場合がある。
【０００５】
本発明の目的は、様々な形状のレンズを保持することができ、かつ、作業性を向上することができる光学部品の保持具を提供することである。
【課題を解決するための手段】
【０００６】
本発明の光学部品の保持具は、互いに対向する第１蒸着源と第２蒸着源との間に配置されて板状のホルダに蒸着対象物である光学部品を装着する光学部品の保持具であって、
前記ホルダに取り付けられる枠体と、この枠体に設けられる中子リングと、この中子リングに設けられた前記光学部品の外周縁部と当接する網部と、を備え、この網部は、中心部が前記光学部品と離れる方向に向かって湾曲していることを特徴とする。
【０００７】
この構成の発明では、光学部品が網部に載置されるので、光学部品が中子リングよりも小さい場合や中子リングの内周形状と異なる場合でも、光学部品の落下を防止し、光学部品を保持することができる。また、光学部品を網部に載置するので、光学部品の取扱作業が容易であり、作業性が向上する。さらに、蒸着材料が網部の孔を通ってレンズに蒸着されるため、レンズの第１蒸着源に対向する面と第２蒸着源に対向する面とに同時に蒸着することができる。
また、図８の従来例３のような、板バネ部材でレンズを押圧する構成では、レンズに熱がかかると、レンズが変形する場合があるが、本発明では、レンズを保持する際にレンズを押圧しないため、レンズが変形するという不都合も防止することができる。
【０００８】
本発明の網部は、互いに交差する複数の網線を備え、これらの網線は、前記中子リングの中心から離れる位置にある構成が好ましい。
この構成の発明では、網線が中子リングの中心から離れた位置、すなわち、光学部品の中心から離れた位置に網線が配置されているので、光学部品の中心が網線により蒸着が妨げられるという不都合を防止することができる。
【０００９】
本発明の網線は、前記中子リングに着脱自在に設けられた構成が好ましい。
この構成の発明では、網線を取り外すことができるので、洗浄などのメンテナンスが容易である。また、新しい網線との取替えも容易である。
【００１０】
本発明では、前記網線の先端は、前記中子リングに挿通され、折れ曲った状態で前記枠体に挟持される構成が好ましい。
この構成の発明では、網線の先端が折れ曲るので、中子リングに良好に固定される。また、網線の先端を、元の直線状の状態に戻すことにより、網線を取り外すことができる。したがって、網線の取付け及び取り外しが容易になる。
【００１１】
本発明では、前記中子リングは、外周に前記網線の先端を位置決め可能な溝を有する構成が好ましい。
この構成の発明では、溝が網線の先端を位置決めするので、網線のたわむ姿勢を保持しやすくなる。
【００１２】
本発明では、前記光学部品と前記中子リングとの間には、前記光学部品を位置決め可能なスペーサが配置された構成が好ましい。
この構成の発明では、中子リングと比較して光学部品の大きさが小さくてもスペーサを設けることにより、光学部品を位置決めすることができる。そのため、光学部品の安定性が向上し、光学部品への蒸着が安定する。
【図面の簡単な説明】
【００１３】
【図１】本発明の第１実施形態に係る蒸着装置を示す断面図である。
【図２】前記実施の形態に係る蒸着装置に配置されるホルダを示す平面図である。
【図３】前記実施の形態に係るホルダに配置される光学部品の保持具を示しており、（Ａ）は平面図であり、（Ｂ）は断面図である。
【図４】前記実施の形態に係る光学部品の保持具の中子リングの一部を拡大して示しており、（Ａ）は平面図であり（Ｂ）は、断面図である。
【図５】本発明の第２実施形態に係る光学部品の保持具を示す断面図である。
【図６】第１の従来例の光学部品の保持具を示す断面図である。
【図７】第２の従来例の光学部品の保持具を示す断面図である。
【図８】第３の従来例の光学部品の保持具を示す平面図である。
【発明を実施するための形態】
【００１４】
以下、本発明の実施の一形態について、図面に基づいて説明する。
〔第１実施形態〕
図１に蒸着装置の全体を示す。図１において、蒸着装置１は、装置本体１１と第１蒸着源１２と第２蒸着源１３とホルダ１４とを備え、光学部品としてのレンズ２の表面に防汚膜を形成するものである。
装置本体１１は、略箱状に形成され、内部に蒸着室１１１を有する。蒸着室１１１では、上部に第１蒸着源１２が配置され、下部に第２蒸着源１３が配置されている。
第１蒸着源１２及び第２蒸着源１３は、所定の間隔を空けて対向配置され、それぞれ防汚材料がセットされている。第１蒸着源１２は、レンズ２の上面に防汚材料を蒸着させ、第２蒸着源１３は、レンズ２の下面に防汚材料を蒸着させて、レンズ２に所定厚みの防汚膜を形成する。
第１蒸着源１２と第２蒸着源１３との間には、保持具３が取付られたホルダ１４が配置されている。このホルダ１４は、装置本体１１の内外にスライド移動する。つまり、ホルダ１４は、蒸着位置と、レンズ２の取出位置とをスライド移動する。蒸着位置では、レンズ２が図１に示されるように、蒸着処理が施される。
【００１５】
ホルダ１４は、図１，２に示されるように、円盤板状に形成されており、その中心に軸孔１４１が形成されるとともに、その軸孔１４１の周囲に複数の保持孔１４２が形成され、保持孔１４２に保持具３が装着されている。
軸孔１４１は、ホルダ１４の略中心に略円状に形成され、ホルダ１４の厚さ方向に貫通している。軸孔１４１には、蒸着位置にて図示しない回転軸が嵌合される。この回転軸が図示しない駆動手段により軸回りに回転することにより、ホルダ１４も周方向に回転する。
保持孔１４２は、略円状に形成され、ホルダ１４の厚さ方向に貫通している。保持孔１４２は、軸孔１４１を中心に、放射状に複数形成されている。保持孔１４２には、保持具３が取り付けられている。
【００１６】
保持具３は、図３（Ａ）、（Ｂ）に示されるように、枠体３１と、中子リング３２と、網部３３とを備える。
枠体３１は、環状に形成され、内周側に中子リング３２が装着される。枠体３１は、上部に枠体３１の内周縁部から外周縁部に亘って所定の幅寸法で取外溝３１１が形成されている。また、枠体３１は、上端部に外周側に突出した当接部３１２を有し、下端部に内周側に突出した受け部３１３を有する。当接部３１２は、図１に示されるように、ホルダ１４の上面に当接する。この受け部３１３の上側に、中子リング３２が載置されている。
中子リング３２は、下側リング３２１と、上側リング３２２とを備え、網部３３を固定する。
下側リング３２１は、環状に形成され、下端面が受け部３１３に当接している。また、下側リング３２１の上面には、上側リング３２２が載置されている。
上側リング３２２は、環状に形成され、内周縁部から外周縁部に亘って取外溝３１１に連続したリング取外溝３２２Ａが形成されている。上側リング３２２は、図４（Ａ）、（Ｂ）に示されるように、外周面に網線３３１を位置決め可能な固定溝３２２Ｂを有する。固定溝３２２Ｂは、外周面の上縁から下縁に亘って平面視で略Ｖ字状に形成されている。また、上側リング３２２は、下面に内周縁部から外周縁部に亘って固定溝３２２Ｂに連続する挿通溝３２２Ｃが形成されている。挿通溝３２２Ｃ及び固定溝３２２Ｂには、網部３３が固定される。
【００１７】
図３に示すように、網部３３は、４本の網線３３１により形成され、レンズ２の外周縁部に当接することにより、レンズ２が載置される。これら網線３３１は、井形になるように、２本ずつ略直交して配置されている。
網線３３１は、中子リング３２の中央から離れて配置されている。網線３３１は、中心部がレンズ２と離れる方向、つまり、網線３３１は第２蒸着源１３側向かって湾曲している。
また、網線３３１の材料として、銅、鉄、アルミなどを採用することができる。
【００１８】
ここで、図３（Ｂ）に示すように、網線３３１の径と、レンズ２に蒸着された防汚膜及び網線３３１間の間隔（ｄ）との関係を表１に基づいて説明する。なお、表１に示された○は蒸着処理後のレンズ２に呼気を行い跡が確認できなかった場合を示し、×は呼気により跡が確認できた場合を示す。
表１に示すように、網線３３１の径が１ｍｍ以下の場合、間隔（ｄ）は１ｍｍ以上とすることにより、良好に蒸着させることができる。
また、網線３３１の径が１ｍｍ以上より大きい場合は、網線３３１の径以上の隙間（ｄ）とすることにより、良好に蒸着させることができる。
【００１９】
【表１】
2010189737.tif 000003
【００２０】
図４に示すように、網線３３１の端部は、挿通溝３２２Ｃ及び固定溝３２２Ｂに挿入されている。そして、網線３３１の先端は、固定溝３２２Ｂに沿うように折り曲げられて、位置決めされている。これにより、網線３３１は、端部が下側リング３２１と上側リング３２２との間に挟持されるとともに、固定溝３２２Ｂと枠体３１の内周側の側面とに挟持されている。
なお、レンズ２は、図４（Ｂ）に示されるように、中子リング３２の内径よりも比較的小さいレンズ２１であってもよい。すなわち、中子リング３２の内周縁とレンズ２１の周縁との間には、所定の間隔が形成されていてもよい。
【００２１】
以上のような第１実施形態によれば、以下のような効果を奏することができる。
（１）ホルダ１４に形成された保持孔１４２に取り付けられる枠体３１と、この枠体３１の内周側に配置される中子リング３２と、この中子リング３２に固定され、レンズ２の外周縁部が当接する網部３３とを備えて保持具３を構成する。網部３３は、中心部がレンズ２と離れる方向に向かって湾曲している構成を有する。
したがって、保持具３は網部３３の上にレンズ２を載置する構成であるので、レンズ２の形状が枠体３１の内周面の形状と対応しない場合であってもレンズ２を保持することができる。また、レンズ２が網部３３の上に載置された構成であるので、レンズ２の取付及び取出作業が容易である。
さらに、蒸着材料が網部３３の孔を通ってレンズ２に蒸着されるため、レンズ２の上面と下面とに同時に蒸着することができる。
【００２２】
（２）枠体３１及び上側中子リング３２２は、連続する取外溝３１１及びリング取外溝３２２Ａを有する。
取外溝３１１及びリング取外溝３２２Ａからレンズ２を持ち上げることができるので、レンズ２を保持具３から容易に取り外すことができ、作業性が向上する。
【００２３】
（３）網部３３は、互いに交差する複数の網線３３１を備え、これらの網線３３１は、中子リング３２の中心から離れる位置にある。
そのため、レンズ２の中心部に蒸着物が蒸着されないという不都合を防止することができる。
【００２４】
（４）網線３３１の先端は、折り曲げられた状態で、上側中子リング３２２の固定溝３２２Ｂと枠体３１とにより挟持される。
したがって、網線３３１の先端が折れ曲るので、中子リング３２に良好に固定される。また、網線３３１の先端を、元の直線状の状態に戻すことにより、網線３３１を取り外すことができる。したがって、網線３３１の取付け及び取り外しが容易になる。また、網線３３１の洗浄作業も容易になる。
【００２５】
（５）固定溝３２２Ｂ及び挿通溝３２２Ｃは、網線３３１の端部を位置決めする。
したがって、網線３３１のたわむ姿勢を容易に保持することができる。
【００２６】
［第２実施形態］
次に、本発明の第２実施形態について説明する。尚、以下の説明では、既に説明した部分等については、同一符号を付してその説明を省略する。
前述した第１実施形態に係る保持具３では、中子リング３２の内周の大きさに対応したレンズ２が網部３３に載置される構成を示している。これに対して、図５に示すように、第２実施形態に係る保持具３では、中子リング３２の内径よりも小さいレンズ２が網部３３に載置される点が異なる。
保持具３は、中子リング３２の内径よりも小さいレンズ２を保持している。そのため、中子リング３２の内周面とレンズ２の外周面との間には、隙間が形成されている。
保持具３は、隙間に配置され、レンズ２を位置決めするスペーサ３４を備えている。
【００２７】
（６）このような第２実施形態に係る保持具３では、前述した第１実施形態に係る保持具３の効果に加えて、中子リング３２の内周面とレンズ２の外周面との間に形成された隙間にスペーサ３４が配置されているから、レンズ２を確実に位置決めすることができる。したがって、蒸着処理の際にも、レンズ２を確実に固定することができるため、レンズ２に良好に蒸着処理を施すことができる。
【００２８】
［実施形態の変形例］
なお、本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
例えば、蒸着装置の処理方法に制限はなく、電子ビーム蒸着法以外にも、高周波スパッタリング法、直流スパッタリング法、ＣＶＤ法（化学気相成長法）イオンプレーティング法等種々の方法が採用できる。
また、枠体３１及び中子リング３２は、平面視で円状に形成されている構成を示したが、平面視で楕円形状、三角形状、四角形状などの多角形状でもよい。
さらに、網線３３１には、レンズ２を固定するための切欠が形成されていてもよい。
また、蒸着材料は、防汚材料に限られず、撥水部材、反射防止材料などでもよい。
そして、前記実施形態では、光学部品を眼鏡レンズ２として説明したが、本発明の光学部品は眼鏡レンズ以外、例えば、カメラ用レンズ、顕微鏡レンズを始め各種光学レンズとしてもよく、あるいは、プリズム等の光学素子としてもよい。
【産業上の利用可能性】
【００２９】
本発明は、メガネレンズの保持具に利用できる他、カメラ用レンズを始め各種光学レンズ等に利用することができる。
【符号の説明】
【００３０】
１…蒸着装置、２、２１…レンズ、３…保持具、１１…装置本体、１２…第１蒸着源、１３…第２蒸着源、１４…ホルダ、３１…枠体、３２…中子リング、３３…網部、１１１…蒸着室、１４１…軸孔、１４２…保持孔、３１１…取外溝、３１２…当接部、３１３…受け部、３２１…下側リング、３２２…上側リング、３２２Ａ…リング取外溝、３２２Ｂ…固定溝、３２２Ｃ…挿通溝、３３１…網線
【図１】
2010189737.tif 000004
【図２】
2010189737.tif 000005
【図３】
2010189737.tif 000006
【図４】
2010189737.tif 000007
【図５】
2010189737.tif 000008
【図６】
2010189737.tif 000009
【図７】
2010189737.tif 000010
【図８】
2010189737.tif 000011